【事件の表示】
　特願２０１８−　４９２４６「冷蔵庫」拒絶査定不服審判事件〔平成３０年　６月１４日出願公開、特開２０１８−　９１６２４〕について、次のとおり審決する。
【結　論】
　本件審判の請求は、成り立たない。
【理　由】
第１　手続の経緯
　本願は、平成２３年９月２７日に出願した特願２０１１−２１１１３８号の一部を、平成２８年８月２４日に新たな特許出願とした特願２０１６−１６３３４０号について、さらにその一部を平成３０年３月１６日に新たな特許出願としたものであって、その手続の経緯は以下のとおりである。
　平成３１年２月１９日付けで拒絶理由通知
　平成３１年４月５日に意見書及び手続補正書の提出
　令和元年７月２５日付けで拒絶理由通知
　令和元年９月２６日に意見書及び手続補正書の提出
　令和元年１１月２１日付けで拒絶査定（以下「原査定」という。）
　令和２年２月２５日に審判請求書及び同時に手続補正書の提出
第２　令和２年２月２５日にされた手続補正についての補正の却下の決定
［補正の却下の決定の結論］
　令和２年２月２５日にされた手続補正（以下「本件補正」という。）を却下する。
［理由］
１　本件補正の内容
　本件補正は、下記（２）のとおりの令和元年９月２６日に提出された手続補正書により補正された特許請求の範囲の請求項１の記載を、下記（１）のとおりの特許請求の範囲の請求項１の記載に補正するものである（下線部は、補正箇所である。）。また、本件補正は、請求項１を引用する請求項２ないし５についても、同様に補正するものである。
（１）本件補正後の特許請求の範囲の請求項１の記載
「　　【請求項１】
　冷蔵庫本体が有する扉と、
　前記扉の前面に設けられ前面板と、
　前記前面板に設けられた操作領域と表示領域と、
　前記前面板の裏側に設けられ、前記操作領域の後方に対応する部位にタッチスイッチを構成する電極を有する操作基板と、
　前記前面板の裏側に設けられ、前記表示領域の後方に対応する部位に発光素子を有する表示基板と、
　前記表示基板と前記前面板との間に設けられた中間支持部材と、
　を備え、
　前記前面板の前記表示領域における前記中間支持部材の裏側であって、前記発光素子に対応する位置に照射筒部が設けられ、前記照射筒部は前記前面板に向かう方向へ筒状に延びていると共に、前記前面板へ向かうにしたがって広がるように形成され、前記照射筒部の裏側に前記表示基板が設けられ、
　
前記操作基板が、
　冷蔵庫。」
（２）本件補正前の特許請求の範囲の請求項１の記載
「　　【請求項１】
　冷蔵庫本体が有する扉と、
　前記扉の前面に設けられ前面板と、
　前記前面板に設けられた操作領域と表示領域と、
　前記前面板の裏側に設けられ、前記操作領域の後方に対応する部位にタッチスイッチを構成する電極を有する操作基板と、
　前記前面板の裏側に設けられ、前記表示領域の後方に対応する部位に発光素子を有する表示基板と、
　前記表示基板と前記前面板との間に設けられた中間支持部材と、
　を備え、
　前記前面板の前記表示領域における前記中間支持部材の裏側であって、前記発光素子に対応する位置に照射筒部が設けられ、前記照射筒部は前記前面板に向かう方向へ筒状に延びていると共に、前記前面板へ向かうにしたがって広がるように形成され、前記照射筒部の裏側に前記表示基板が設けられ、
　前記前面板の前記操作領域に対応する前記中間支持部材に前記操作基板が固定されている、
　冷蔵庫。」
２　補正の適否
　本件補正により、補正前の請求項１における「前記前面板の前記操作領域に対応する前記中間支持部材に前記操作基板が固定されている、」との記載を、補正後の請求項１において、「
前記操作基板が、
　また、本件補正は、特許法第１７条の２第５項第１号ないし第３号に掲げる事項を目的とするものにも該当しない。
３　本件補正についてのむすび
　したがって、本件補正は、特許法第１７条の２第５項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　本件補正は、上記のとおり却下されたので、本願の請求項１ないし５に係る発明は、令和元年９月２６日に提出された手続補正書により補正された特許請求の範囲の請求項１ないし５に記載された事項により特定されるものであるところ、その請求項１に係る発明（以下「本願発明」という。）は、上記第２［理由］１（２）に記載された事項により特定されるとおりのものである。
２　原査定の拒絶の理由
　原査定の拒絶の理由の一部は、以下のとおりである。
（１）理由１（進歩性）
　本願発明は、その出願前に日本国内又は外国において、頒布された引用文献２に記載された発明、引用文献１に記載された事項及び引用文献３ないし５に例証される周知技術に基いて、その出願前にその発明の属する技術の分野における通常の知識を有する者（以下「当業者」という。）が容易に発明をすることができたものであるから、特許法第２９条第２項の規定により特許を受けることができない。
　引用文献１ないし５については、以下のとおりである。
引用文献１：特開２００７−２９８２４２号公報
引用文献２：米国特許出願公開第２００８／０２２５０１６号明細書
引用文献３：特開２００２−３０４１３１号公報（周知技術を示す文献）
引用文献４：特開２００６−２７６７２８号公報（周知技術を示す文献）
引用文献５：国際公開第２００７／０３７０３５号（周知技術を示す文献）
３　引用文献
（１）引用文献２
ア　引用文献２の記載
　原査定の拒絶の理由で引用された引用文献２であって、本願の出願前に頒布された米国特許出願公開第２００８／０２２５０１６号明細書には、「Control panel and washing machine having the same（制御パネル及び洗濯機）」に関し、次の記載がある。なお、翻訳文は当審によるものである。また、「・・・」は記載の省略を示し、下線部は当審で付したものである（以下同様。）。
「[0002] 1. Field
[0003] The present invention relates to a control panel and a washing machine having the same. More particularly, the present invention relates to a control panel and a washing machine having the same capable of providing an aesthetic external appearance and of preventing characters and symbols from being erased.」
＜翻訳文＞
「[0002] 1. 発明の分野
[0003]　
本発明は制御パネル及びこれを備えた洗濯機に関するものである。
「[0028] FIG. 1 represents a drum-type washing machine, for example, employing a control panel according to the present embodiment. ・・・A detergent supply device 13 that dispenses detergents into the body 10 and a control panel 20 that displays a control state and an operational state of the washing machine are provided on an upper portion of the front surface of the body 10.
・・・
[0030] As shown in FIGS. 2 and 3, the control panel 20 installed on the upper portion of the front surface of the body 10 comprises a semi-transparent cover 21, a film 30 printed with characters or symbols 31 and 32, a detecting panel 40 having a plurality of detecting members 41, a circuit board 22 having a plurality of LEDs (light emitting diodes) 25 and a guide member 23 having a plurality of optical paths 23a to guide light.
[0031] The semi-transparent cover 21 may include semi-transparent resin or tempered glass. The characters or the symbols 31 and 32 are not printed on a front surface and a rear surface of the semi-transparent cover 21 to provide a simple external appearance.
[0032] The film 30 installed behind the semi-transparent cover 21 includes a transparent material that allows light to pass therethrough. The plural characters or symbols 31 and 32 indicating the operational state of the washing machine are printed on the film 30. In addition, the characters or the symbols 31 and 32 indicating the positions of the detecting members 41 of the detecting panel 40 installed behind the film 30 are printed on the film 30.
[0033] The detecting panel 40 includes non-contact type detecting members 41 capable of detecting a variable capacitance of a human body. The detecting members 41 are equipped with detecting ICs that detect the capacitance. Thus, when the user touches an outer surface of the semi-transparent cover 21, the detecting members 41 can detect the touch of the user. Such a detecting panel 40 has a structure simpler than that of the conventional control buttons, and a physical force is not applied to the detecting members 41, so a malfunction of the detecting panel 40 rarely occurs as compared with the conventional press-type control buttons.
[0034] The detecting panel 40 includes openings 42 allowing light irradiated from the LEDs 25 of the circuit board 22 to pass therethrough, and the openings 42 correspond to the characters or the symbols 31 and 32 of the film 30 installed in front of detecting panel 40. The light irradiated from the LEDs 25 is introduced to the characters or the symbols 31, particularly to the characters or the symbols 31 indicating the operation state.
[0035] In addition, the detecting members 41 of the detecting panel 40 correspond to the characters and the symbols 32 indicating the positions of the detecting members 41 among the characters or the symbols on the film 30 provided in front of the detecting panel 40. Openings 42 can be formed in the vicinity of the detecting members 41 or the detecting panel 40 may include a transparent material to allow light to be irradiated to the characters or the symbols 31 and 32 of the film 30 through a region in which the detecting members 41 are positioned.
[0036] Each of the LEDs 25 provided on the circuit board 22 individually emit light to irradiate light onto the characters or the symbols 31 and 32 printed on the film 30. To this end, the guide member 23 having the optical paths 23a accommodating the LEDs 25, respectively, is coupled to a front surface of the circuit board 22. That is, the LEDs 25 of the circuit board 22 enter the optical paths 23a of the guide member 23. The optical paths 23a of the guide member 23 correspond to the characters or the symbols 31 and 32 printed on the film 30, respectively. The light of the LEDs 25 is guided through the optical paths 23a to be irradiated to the characters or the symbols 31 and 32, such that the characters and symbols 31 or 32 are projected onto the rear surface of the semi-transparent cover 21. In this manner, as the characters and the symbols 31 or 32 are projected onto the rear surface of the semi-transparent cover 21, the user can check the characters or the symbols 31 and 32 at the front of the semi-transparent cover 21.
[0037] When assembling the control panel 20, the film 30 is attached to a front surface of the detecting panel 40 by using double-sided tape (not shown), and the detecting panel 40 is attached to the rear surface of the semi-transparent cover 21 by using the double sided tape. Then, the guide member 23 having the circuit board 22 is coupled to a rear side of the semi-transparent cover 21, and the guide member 23 is fixedly screw-coupled to an inside of the semi-transparent cover 21 by using a plurality of screws 26.
・・・
[0039] When power is applied to the washing machine, the LEDs 25 emit light such that the characters or the symbols 31 and 32, which indicate the positions of the detecting members 41, are projected onto the rear surface of the semi-transparent cover 21. Accordingly, the user can set operational conditions or functions of the washing machine, while checking the control positions displayed on the front surface of the semi-transparent cover 21. When the user touches the front surface of the semi-transparent cover 21, the detecting member 41 of the detecting panel 40 detects a capacitance of the human body, thereby detecting the user's control. Further, if a function is selected in this manner, the LED 25 corresponding to the characters or symbols 31 and 32 emits the light, so the corresponding characters or symbols 31 and 32 are displayed on the semi-transparent cover 21. Since the characters or the symbols 31 and 32 indicating other functions or operation states are not displayed, the user may precisely know the operational state. Accordingly, the control error can be reduced.
[0040] As described above, according to the present embodiment, since the function of the control panel is controlled by touching the outer surface of the semi-transparent cover, the control panel represents a simple structure having an aesthetic external appearance as compared with the conventional control panel. In particular, when the operation of the apparatus stops or the control function is not used, since the characters or the symbols are not displayed on the semi-transparent cover, the aesthetic appearance is improved and the control error is reduced.
[0041] In addition, according to the present embodiment, since the control panel displays the characters or the symbols in such a manner that the characters or the symbols printed on the film are projected onto the rear surface of the semi-transparent cover by means of the emission of the LED, the characters or the symbols are prevented from being erased even if the washing machine is used for a long period of time.」
＜翻訳文＞
「［００２８］　図１は、本実施の形態の制御パネルを用いたドラム型洗濯機を示している。・・・
本体１０の前面上部には、
洗濯機の制御状態および動作状態を表示する制御パネル２０が設けられている。
・・・
［００３０］　図２及び図３に示すように、
本体１０の前面上部に設置された制御パネル２０は、半透明カバー２１、文字又は記号３１と３２が印刷されたフィルム３０、複数の検出部材４１を有する検出パネル４０、複数のＬＥＤ(発光ダイオード)２５を有する回路基板２２、及び光を案内するための複数の光路２３ａを有する案内部材２３を備えている。
［００３１］　半透明カバー２１は半透明の樹脂や強化ガラスなどが挙げられる。文字又は記号３１と３２は、半透明カバー２１の前面及び後面に印刷されておらず、単純な外観を提供している。
［００３２］　半透明カバー２１の裏側に設置されたフィルム３０は、光を透過する透明な材料を含む。
洗濯機の動作状態を示す複数の文字又は記号３１と３２は、フィルム３０上に印刷されている。また、フィルム３０の背後に設置された検出パネル４０の検出部材４１の位置を示す文字又は記号３１と３２は、フィルム３０上に印刷されている。
［００３３］　
検出パネル４０は、人体の静電容量を検出することが可能な非接触型の検知部材４１を備えている。
ユーザは、半透明のカバー２１の外側の表面に触れると、検出部材４１は、ユーザのタッチを検出することができる。
［００３４］　検出パネル４０は、回路基板２２の発光ダイオード２５から照射された光を通過させる開口部４２を含み、開口部４２は、検出パネル４０の前方に設置されたフィルム３０の文字又は記号３１と３２に対応する。
発光ダイオード２５から照射された光は、文字又は記号３１、特に動作状態を示す文字又は記号３１に導入される。
［００３５］　また、
検出パネル４０の検出部材４１は、検出パネル４０の前方に設けられたフィルム３０上の文字又は記号のうち、検出部材４１の位置を示す文字及び記号３２に対応する。
［００３６］　
回路基板２２上に設けられた発光ダイオード２５のそれぞれは、フィルム３０上に印刷された文字又は記号３１と３２に光を照射するための光を個別に発光する。
発光ダイオード２５を収容した光路２３ａを有する案内部材２３は、それぞれ、回路基板２２の前面に結合されている。
。発光ダイオード２５の光は、光路２３ａを通して案内され、文字又は記号３１と３２に照射されることになり、文字及び記号３１又は３２は、半透明カバー２１の後面に投影される。
［００３７］　制御パネル２０を組立てる際、
フィルム３０は、両面テープ(図示せず)を用いて、検出パネル４０の前面に取り付けられ、検出パネル４０は、両面テープを用いて、半透明カバー２１の後面に取り付けられている。そして、回路基板２２を有する案内部材２３は半透明カバー２１の後ろ側に連結されており、案内部材２３は複数のボルト２６を用いて半透明カバー２１の内側にねじ固定されている。
・・・
［００３９］　洗濯機に電力が供給されると、
発光ダイオード２５は、検出部材４１の位置を示す文字又は記号３１と３２が半透明カバー２１の後面に投影されるように光を放出する。
ユーザは、半透明カバー２１の前面に表示された制御位置を確認しながら、洗濯機の動作条件又は機能を設定することができる。ユーザが半透明カバー２１の前面に触れると、検出パネル４０の検出部材４１は、人体の静電容量を検出し、それによりユーザの制御を検出することができる。
［００４０］　以上のように、本実施形態によれば、制御パネルの機能は、半透明カバーの外表面に触れることにより制御されるので、制御パネルは、従来のパネルに比べて美的外観を有する単純な構造を示している。具体的には、装置の動作停止、または、制御機能を使用しない場合には、半透明カバーに文字や記号は表示されないので、美観が向上し、制御誤差が低減される。
［００４１］　また、本実施の形態によれば、前記制御パネルは、フィルム上に印刷された文字又は記号が発光ダイオードの発光により半透明カバーの後面に投影されるように、文字又は記号を表示するので、洗濯機を長期間使用した場合であっても、文字やシンボルが消去されることが防止される。」
「
」
イ　引用文献２の記載から認められること
（ア）上記ア（特に、段落０００３、００２８及び００３０、図１ないし３）によれば、引用文献２には、制御パネル２０が本体１０の前面上部に設けられた洗濯機が記載されている。
（イ）上記ア（特に、段落００３０及び００３１、図１ないし３）によれば、上記制御パネル２０は、半透明カバー２１と、検出パネル４０、複数の文字又は記号３１と文字又は記号３２が印刷されたフィルム３０、複数の検出部材４１を有する検出パネル４０、複数の発光ダイオード２５を有する回路基板２２、及び光を案内するための複数の光路２３ａを有する案内部材２３を備えている。
（ウ）上記ア（特に、段落００３２、００３７、図１ないし３）及び上記（イ）によれば、半透明カバー２１には、文字又は記号３１及び文字又は記号３２が印刷されたフィルム３０が裏側に設置されており、それによって文字又は記号３１に対応する領域と文字又は記号３２に対応する領域が設けられたものとなっている。
（エ）上記ア（特に、段落００３２、００３５、００３７、図１ないし３）によれば、検出パネル４０は、半透明カバー２１の裏側に設けられている。
（オ）上記ア（特に、段落００３２、００３５、００３７、図１ないし３）によれば、検出パネル４０は、文字又は記号３２に対応する領域の後方に対応する部位に人体の静電容量を検出することが可能な非接触型の検知部材４１を有している。
（カ）上記ア（特に、段落００３７、図１ないし３）によれば、回路基板２２は、検出パネル４０の裏側に設けられている。
（キ）上記ア（特に、段落００３６、図１ないし３）によれば、回路基板２２は、文字又は記号３１に対応する領域の後方に対応する部位に発光ダイオード２５を有している。
（ク）上記ア（特に、段落００３６、００３７、図２及び３）によれば、案内部材２３は、回路基板２２と半透明カバー２１との間に設けられており、前記案内部材２３の裏側に前記回路基板２２が設けられている。
（ケ）上記ア（特に、段落００３０、００３６、図２及び３）によれば、半透明カバー２１の文字又は記号３１に対応する領域における案内部材２３には、発光ダイオード２５を収容する光路２３ａが設けられ、前記光路２３ａは前記半透明カバー２１に向かう方向へ延びているように形成されている。
（コ）上記ア（特に、段落００３５ないし００３７、図２）によれば、文字又は記号３２に対応する領域に検知部材４１が対応するように、フィルム３０が両面テープを用いて検出パネル４０の前面に取り付けられ、前記検出パネル４０が両面テープを用いて半透明カバー２１の後面に取り付けられ、回路基板２２の前面に結合された案内部材２３が前記半透明カバー２１の後ろ側に連結されて複数のボルト２６を用いて前記半透明カバー２１の内側にねじ固定されている。
ウ　引用発明
　上記ア及びイから、引用文献２には、次の発明（以下「引用発明」という。）が記載されていると認める。
「本体１０の前面上部に設けられた制御パネル２０が、
　文字又は記号３１及び文字又は記号３２が印刷されたフィルム３０が裏側に設置された半透明カバー２１と、
　前記半透明カバー２１に設けられた前記文字又は記号３２に対応する領域と前記文字又は記号３１に対応する領域と、
　前記半透明カバー２１の裏側に設けられ、前記文字又は記号３２に対応する領域の後方に対応する部位に人体の静電容量を検出することが可能な非接触型の検知部材４１を有する検出パネル４０と、
　前記検出パネル４０の裏側に設けられ、前記文字又は記号３１に対応する領域の後方に対応する部位に発光ダイオード２５を有する回路基板２２と、
　前記回路基板２２と前記半透明カバー２１との間に設けられた案内部材２３と、
　を備え、
　前記半透明カバー２１の前記文字又は記号３１に対応する領域における前記案内部材２３には、前記発光ダイオード２５を収容する光路２３ａが設けられ、前記光路２３ａは前記半透明カバー２１に向かう方向へ延びているように形成され、前記案内部材２３の裏側に前記回路基板２２が設けられ、
　前記文字又は記号３２に対応する領域に前記検知部材４１が対応するように、前記フィルム３０が両面テープを用いて前記検出パネル４０の前面に取り付けられ、前記検出パネル４０が両面テープを用いて前記半透明カバー２１の後面に取り付けられ、前記回路基板２２の前面に結合された前記案内部材２３が前記半透明カバー２１の後ろ側に連結されて複数のボルト２６を用いて前記半透明カバー２１の内側にねじ固定されている、
洗濯機。」
（２）引用文献１
ア　引用文献１の記載
　原査定の拒絶の理由で引用された引用文献１であって、本願の出願前に頒布された特開２００７−２９８２４２号公報には、「冷蔵庫」に関し、次の記載がある。
「【０００７】
　以下、図面に基づき本発明の１実施形態について説明する。図１にその外観正面図を示す冷蔵庫本体（１）は、最上部に冷蔵食品を収納貯蔵する冷蔵室（２）を設け、その下部に製氷室（３）や温度切替室（４）などの小容量の室を併置し、さらにその下部に、野菜室（５）や冷凍室（６）など所定貯蔵温度に沿った貯蔵室を配置しており、それぞれの貯蔵室の前面開口には扉を配設するとともに、前記冷蔵室（２）の前面開口には、ヒンジにより外方の一側を冷蔵庫本体側に枢支した回動式の冷蔵室扉（７）を取り付けている。
【０００８】
　冷蔵室扉（７）は、扉全体の分解斜視図である図２、および要部の縦断面図である図３に示すように、本体外表面を薄鋼板からなり左右両側縁を後方へほぼコ字状に折曲した前面板（８）で形成しており、この前面板（８）の下端に下端開口を閉塞する扉キャップ（９）を設けるとともに、冷蔵室内側には、貯蔵品を収納するポケット部を形成する扉内板（10）を配置し、これら各部材間に形成される空間部にウレタンフォームからなる断熱材（11）を発泡充填することで一体に構成されている。
【０００９】
　前記前面板（８）の下方は、扉（７）のほぼ全幅に亙って所定の高さ寸法の方形に切り欠き、この切欠部（８ａ）の端面に、扉キャップ（９）や表示パネル（12）の上端縁に形成した係合溝を嵌入して係止している。
【００１０】
　前記扉キャップ（９）は、合成樹脂製の成形体からなり、前面板（８）の下方切欠部（８ａ）に合致させた上部前面位置に対して、その上端から後方へ凹陥部（13）を設けるとともに、下端を後方へ折曲して前記扉内板（10）の下端と係合させることで断熱扉体の外郭を形成しており、前記凹陥部（13）を扉の下方における断熱層（11）と分離させてパネル部品および制御基板（15）の収納部としている。
【００１１】
　
表示パネル（12）は、透明の合成樹脂板で形成されており、前記前面板（８）の切欠部（８ａ）に沿った外周縁部を形成するもので、後述するＬＣＤ表示部（16）の外面周囲を覆う意匠部材であり、この表示パネル（12）の下縁は扉キャップ（９）の端縁と係合させるようにしている。
【００１２】
　
前記ＬＣＤ表示部（16）は、冷蔵庫の各種機能の設定状態を表示するように形成されており、その前面側に表示パネル（12）が配置される構成であって、表示パネル（12）の裏面側には、図４のように、ＬＣＤ表示部（16）の表示内容に合わせた形のフィルム型の静電容量形近接スイッチ（以下、「静電スイッチ」という。）（17）を貼り付けている。
【００１３】
　この静電スイッチ（17）は、検出電極に物体が接近したときの電極の静電容量の変化を検出して動作するスイッチである。すなわち、絶縁された導体である手指などの物体が検出電極に接近することにより直接検出される静電容量が増加し、さらに物体の対地間容量、センサの回路や配線あるいは電源の対地間容量が前記直接検出容量に対して直列の容量として入ることで検出容量が増加して、検出される静電容量が変化することになり、この変化を検出して動作するものである。
【００１４】
　この静電スイッチ（17）は、例えば、冷蔵室（２）の設定温度表示部（16ａ）や冷凍室（６）の設定温度表示部（16ｂ）に対応する位置に検知電極（17ａ）（17ｂ）を配置し、また、温度切替室（４）の設定温度雰囲気を切り替える温度切替部（16ｃ）や急速冷凍や急速製氷などの急速運転をおこなう急速制御部（16ｄ）にも対応して検知電極（17ｃ）（17ｄ）を設置するようにし、設置した検知電極（17ａ）〜（17ｄ）に手指が触れることで、冷蔵室（２）や温度切替室（４）などの設定温度を変更したり、急速運転をおこなうように制御する。
【００１５】
　前記静電スイッチ（17）は、後方にあるＬＣＤの該当表示部（16ａ）〜（16ｄ）が隠れて視認できなくなることを防ぐために、スイッチ検知電極（17ａ）〜（17ｄ）としては透明電極を蒸着若しくは印刷させる方式とし、表示パネル（12）裏面への接着も透明な接着剤を用いるものとしており、図５のブロック図に示すような電気回路を形成するものであって、前記表示パネル（12）とＬＣＤ表示部（16）との間に配置された静電スイッチ（17）からの配線は、接続コネクタ（18）によって制御回路基板（15）に接続され、冷蔵庫としての制御回路（19）に接続されている。
【００１６】
　また、静電スイッチ（17）を用いることによって、通常時にはあまり利用することのない機能に関しては、スイッチを数秒間に亙って押し続ける長押しや、複数スイッチを同時に押圧する同時押しによって入力することも可能である。
【００１７】
　そしてまた、本実施例においては、表示パネル（12）の表面をハーフミラーにしており、使用者が静電スイッチ（17）の操作をおこなわないときには、表示パネル（12）面を鏡面にして内部のスイッチ部分が見えなくなるようにしており、これによって、扉（７）としてのデザイン性をより向上させることができる。静電スイッチ（17）が操作された場合は、スイッチ部に対応して設置された制御基板（15）の両側に設けられている発光ダイオードがバックライトとして点灯するため、表示パネル（12）における設定温度の変更状態を扉（７）の外表面から視認することができるように構成している。
【００１８】
　このとき、
静電スイッチ（17）は、ＬＣＤ表示部（16）の前面側に貼り付けられている
「
」
イ　引用文献１に記載された事項
　上記アによれば、引用文献１には次の事項（以下「引用文献１に記載された事項」という。）が記載されていると認める。
「冷蔵庫本体１が有する冷蔵室扉７を備えた冷蔵庫において、前記冷蔵室扉７の前面にＬＣＤ表示部１６と、前記ＬＣＤ表示部１６の前面側に貼り付けられた静電スイッチ１７と、前記静電スイッチ１７からの配線が接続された制御回路基板１５と、裏面側に前記静電スイッチ１７を貼り付け、前記ＬＣＤ表示部１６の外面周囲を覆う表示パネル１２とからなるユニットを設けること。」
（３）引用文献３
ア　引用文献３の記載
　原査定の拒絶の理由で引用された引用文献３であって、本願の出願前に頒布された特開２００２−３０４１３１号公報には、「表示装置」に関し、次の記載がある。
「【００２３】図１〜図４において
表示装置は、表示素子１と、この表示素子１を背後から照明する光源２と、この光源２を保持すると共に表示素子１と導通接続される回路基板３と、この回路基板３上に表示素子１を支持するケース４と、表示素子１と回路基板３とを導通接続する可撓性回路基板５とで構成されている。
【００２４】表示素子１は、例えば一対のガラス基板間に液晶分子を封入した液晶パネルからなり、その端部には可撓性回路基板５と導通接続される複数の電極端子１１（特に図１参照）を備えている。
【００２５】光源２は複数個の発光ダイオードからなり、ケース４の内部で表示素子１の長手方向に沿うように略等間隔で一列に配置されている（図４参照）。
【００２６】回路基板３は、ガラスエポキシ系材料からなる硬質の回路基板で、その所定箇所には可撓性回路基板５を介して各電極端子１１に導通接続され、表示素子１に駆動信号を供給する複数の回路パターン３１（図５参照）を有している。
【００２７】
ケース４は、例えば白色系の合成樹脂にて略箱形に形成され、表示素子１を取り巻く周壁４０と、表示素子１を支持する受壁４１と、光源に対応する第１の開口部４２と、表示素子１に対応する第２の開口部４３と、これら開口部４２，４３間に位置する反射壁４４とを有している。
・・・
【００３０】
反射壁４４は、第１の開口部４２の周囲から第２の開口部４３に向けて次第に末広がり状に傾斜して延び、受壁４１に連続している。
「
」
イ　引用文献３に記載された事項
　上記アによれば、引用文献３には次の事項（以下「引用文献３に記載された事項」という。）が記載されていると認める。
「発光ダイオードからなる光源２を有する回路基板３と液晶パネルからなる表示素子１との間に設けられたケース４において、裏側に前記光源２に対応する位置に反射壁４４が設けられ、前記反射壁４４は前記表示素子１に向かう方向へ筒状に延びていると共に、前記表示素子１へ向かうにしたがって広がるように形成され、前記反射壁４４の裏側に前記回路基板３が設けられること。」
（４）引用文献４
ア　引用文献４の記載
　原査定の拒絶の理由で引用された引用文献４であって、本願の出願前に頒布された特開２００６−２７６７２８号公報には、「液晶表示装置」に関し、次の記載がある。
「【０００９】
　以下に、本発明の実施例を図面に基づいて説明する。図１乃至図３に示す液晶表示装置１は、外装たるフロントケース２及びリアケース３の内部に配置されている。この液晶表示装置１は、基板１０と、基板１０に対して設けられた液晶表示部２０と、基板１０と液晶表示部２０との間に設けられたＬＥＤ３０と、ＬＥＤ３０を囲むように基板１０と液晶表示部２０との間に設けられたガイド体４０とを備えている。また、液晶表示部２０の背面には、ＬＥＤ３０の光を乱反射する乱反射板５０が設けられている。ガイド体４０は、液晶表示部２０及び乱反射板５０を重ねて保持するとともに、基板１０に係止されている。ガイド体４０の要所には、液晶表示部２０及び乱反射板５０を保持する保持片４１が適宜間隔で設けられている。液晶表示部２０及び乱反射板５０は、保持片４１を弾性変形しつつガイド体４０に装着される。また、ガイド体４０の要所にはフック４２が設けられており、基板１０の要所にはフック４２を係止する係止部１１が設けられている。ガイド体４０は、フック４２を弾性変形しつつ係止部１１に係止することにより、基板１０に装着される。フロントケース２には、液晶表示部２０を露呈する開口部４が設けられている。開口部４には、液晶表示部を保護する透明板５が配置されている。尚、図中の６は、フロントケースに装着された操作ボタンである。この操作ボタン６は、その接点を基板に対して離合する構成のものである。また、図中の７は、基板１０に設けられた外部接続用端子である。この外部接続用端子７は、リアケース３に設けられたジャック部８から外部に露呈されている。
【００１０】
　基板１０は、ガラス粒子を混入したエポキシ樹脂等の絶縁材料からなる板材に所定の回路パターンを設けてなるものである。回路パターンは、板材の両面に導体箔を形成し、その導体箔にエッチング加工を施して設けられている。ＬＥＤ３０及びその他の電子素子（図示はせず）は、回路パターンに設けられたランドに対し搭載されている。
【００１１】
　液晶表示部２０は、液晶体及び透明電極からなる液晶表示素子を透明板の間に設け、透明電極と電気的に接続されたピン状の端子２１から電気信号を入力することにより、所定の画素又はセグメント毎に透明・非透明状態が切換えられる構成となっている。端子２１の先端は、基板１０に設けられた電極ソケット６０に接続されている。
【００１２】
　ＬＥＤ３０は、所定の光学部材を一体に設けた発光素子であり、液晶表示部２０の形状に応じて適宜ピッチで基板上１０に配置されている。
【００１３】
　乱反射板５０は、外部から見た液晶表示部２０の明るさ、つまり開口部４から露呈した部位の明るさを均等化するためのものである。本例では、光を拡散する粒子を混入した透明樹脂製の板部材を採用している。
【００１４】
　
ガイド体４０は、基板１０に固定されるとともに液晶表示部２０を保持する樹脂製の枠体である。図４に示すように、ガイド体４０の内部には、ＬＥＤ３０の光を反射するテーパー状の反射面４０ａが設けられている。本例の場合、反射面４０ａの角度は、ＬＥＤの指向特性に基づいて、液晶表示部の光度が均一化するように設定している。
「
」
イ　引用文献４に記載された事項
　上記アによれば、引用文献４には次の事項（以下「引用文献４に記載された事項」という。）が記載されていると認める。
「ＬＥＤ３０を有する基板１０と液晶表示部２０との間に設けられたガイド体４０において、裏側に前記ＬＥＤ３０に対応する位置に反射面４０ａが設けられ、前記反射面４０ａは前記液晶表示部２０に向かう方向へ筒状に延びていると共に、前記液晶表示部２０へ向かうにしたがって広がるように形成され、前記反射面４０ａの裏側に前記基板１０が設けられること。」
（５）引用文献５
ア　引用文献５の記載
　原査定の拒絶の理由で引用された引用文献５であって、本願の出願前に頒布された国際公開第２００７／０３７０３５号には、「ライトボックスおよびその光反射板ならび光反射板の製造方法」に関し、次の記載がある。
「[0023] 図1および図2に示すように、本実施形態のライトボックス10は、上部が開口とされた四角形の箱体12を有している。この箱体12の内部の底部には、平板状の配線板14が配設されている。そして、
配線板14の上面には複数のランプタイプのLED(点状光源）16が取り付けられている。
配線板14上には、LED16からの光、あるいは光拡散表面板26や光拡散反射板34で反射された光を反射するための光反射板18が配置されている。
[0024] 光
反射板18は、複数のLED16のそれぞれの周囲を取り囲む逆多角錐形状、本実施形態においては逆四角錐状に形成された複数の収納凹部20と、この収納凹部20の底部の中心に形成されたLED16を挿通自在な挿通孔22とを有している。
「[0033] 本実施形態の光反射板18は、光源より発して光拡散表面板26へ達した光は50%以上が再び内部側へ反射され、光源間のスペースに設置された光反射板18で反射され戻された光の90%以上が拡散反射され再び光拡散表面板26へ到達する。また、本実施形態の
光反射板18は、光源が配置されていないスペースで光反射板18が 高ぐ光源の近くで低くすり鉢状になっている。そのため、光拡散表面板26で反射された光は、光反射板18の高い部分で効率的に反射し、到達する光の本来少ない光源間のスペース上の光拡散表面板26へも多く到達するようになり、光ムラの少ないものとなる。
[0034] 一般に、ライトボックス10を薄型化すると、発光部28から光拡散表面板26までの距離が短くなるため、光ムラが問題になりやすい。そこで、本発明においては、光反射板18の頂部24と光拡散表面板26との間に、複数の貫通孔を有し、かつ、両面が反射する光拡散反射板34を設置することにより、さらなる薄型化が可能となる。」
「
」
イ　引用文献５に記載された事項
　上記アによれば、引用文献５には次の事項（以下「引用文献５に記載された事項」という。）が記載されていると認める。
「ＬＥＤ１６を有する配線板１４と光拡散表面板２６との間に設けられた光反射板１８において、裏側に前記ＬＥＤ１６に対応する位置に逆四角錐状に形成された収納凹部２０が設けられ、前記収納凹部２０は前記光拡散表面版２６に向かう方向へ筒状に延びていると共に、前記光拡散表面板２６へ向かうにしたがって広がるように形成され、前記収納凹部２０の裏側に前記配線板１４が設けられること。」
４　対比
　本願発明と引用発明とを、その機能、構造又は技術的意義を考慮して対比する。
（１）後者の「文字又は記号３１及び文字又は記号３２が印刷されたフィルム３０が裏側に設置された半透明カバー２１」は、前者の「前面板」に相当する。
（２）後者の「半透明カバー２１」に設けられた「文字又は記号３２に対応する領域」は、その後方に対応する部位に人体の静電容量を検出することが可能な非接触型の検知部材４１が位置することから、前者の「操作領域」に相当する。
　また、後者の「半透明カバー２１」に設けられた「文字又は記号３１に対応する領域」は、その後方の対応する部位に発光ダイオード２５が位置し、上記非接触型の検知部材４１は配置されず、専ら表示の機能を有することから、前者の「表示領域」に相当する。
（３）後者の「人体の静電容量を検出することが可能な非接触型の検知部材４１」は、前者の「タッチスイッチを構成する電極」に相当し、後者の「検出パネル４０」は、前者の「操作基板」に相当する。
（４）後者の「発光ダイオード２５」は、前者の「発光素子」に相当し、後者の「回路基板２２」は、前者の「表示基板」に相当する。
（５）後者の「案内部材２３」は、前者の「中間支持部材」に相当する。
（６）後者の「光路２３ａ」は、前者の「照射筒部」に、「照射光の案内部」という限りにおいて一致する。
　そして、後者の「前記半透明カバー２１の前記文字又は記号３１に対応する領域における前記案内部材２３には、前記発光ダイオード２５を収容する光路２３ａが設けられ、前記光路２３ａは前記半透明カバー２１に向かう方向へ延びているように形成され、前記案内部材２３の裏側に前記回路基板２２が設けられ」る態様は、前者の「前記前面板の前記表示領域における前記中間支持部材の裏側であって、前記発光素子に対応する位置に照射筒部が設けられ、前記照射筒部は前記前面板に向かう方向へ筒状に延びていると共に、前記前面板へ向かうにしたがって広がるように形成され、前記照射筒部の裏側に前記表示基板が設けられ」る態様に、「前記前面板の前記表示領域における前記中間支持部材であって、前記発光素子に対応する位置に照射光の案内部が設けられ、前記照射光の案内部は前記前面板に向かう方向へ延びているように形成され、前記中間支持部材の裏側に前記表示基板が設けられ」るという限りにおいて一致する。
（６）後者の「洗濯機」は、前者の「冷蔵庫」に、「家庭用電気器具」という限りにおいて一致する。
　以上のことから、本願発明と引用発明との一致点及び相違点は、次のとおりである。
［一致点］
「前面板と、
　前記前面板に設けられた操作領域と表示領域と、
　前記前面板の裏側に設けられ、前記操作領域の後方に対応する部位にタッチスイッチを構成する電極を有する操作基板と、
　前記前面板の裏側に設けられ、前記表示領域の後方に対応する部位に発光素子を有する表示基板と、
　前記表示基板と前記前面板との間に設けられた中間支持部材と、
　を備え、
　前記前面板の前記表示領域における前記中間支持部材であって、前記発光素子に対応する位置に照射光の案内部が設けられ、前記照射光の案内部は前記前面板に向かう方向へ延びているように形成され、前記中間支持部材の裏側に前記表示基板が設けられている、
　家庭用電気器具。」
［相違点１］
　本願発明では、「冷蔵庫本体が有する扉」を備えた「冷蔵庫」であって、「前面板」が「前記扉の前面に設けられ」ているのに対して、引用発明では、「洗濯機」であって、「本体１０の前面上部に設けられた制御パネル２０」が備える「半透明カバー２１」が冷蔵庫の扉の前面に設けられるものではない点（以下「相違点１」という。）。
［相違点２］
　「前記前面板の前記表示領域における前記中間支持部材であって、前記発光素子に対応する位置に照射光の案内部が設けられ、前記照射光の案内部は前記前面板に向かう方向へ延びているように形成され、前記中間支持部材の裏側に前記表示基板が設けられている」ことに関し、本願発明では、「前記前面板の前記表示領域における前記中間支持部材の裏側であって、前記発光素子に対応する位置に照射筒部が設けられ、前記照射筒部は前記前面板に向かう方向へ筒状に延びていると共に、前記前面板へ向かうにしたがって広がるように形成され、前記照射筒部の裏側に前記表示基板が設けられ」ているのに対して、引用発明では、「前記半透明カバー２１の前記文字又は記号３１に対応する領域における前記案内部材２３には、前記発光ダイオード２５を収容する光路２３ａが設けられ、前記光路２３ａは前記半透明カバー２１に向かう方向へ延びているように形成され、前記案内部材２３の裏側に前記回路基板２２が設けられ」ており、「光路２３ａ」が、案内部材２３の裏側に設けられ、半透明カバー２１へ向かうにしたがって広がるように形成された「照射筒部」ではなく、前記照射筒部の裏側に回路基板２２が設けられるものではない点（以下「相違点２」という。）。
［相違点３］
　本願発明では、「前記前面板の前記操作領域に対応する前記中間支持部材に前記操作基板が固定されている」のに対して、引用発明では、「前記文字又は記号３２に対応する領域に前記検知部材４１が対応するように、前記フィルム３０が両面テープを用いて前記検出パネル４０の前面に取り付けられ、前記検出パネル４０が両面テープを用いて前記半透明カバー２１の後面に取り付けられ、前記回路基板２２の前面に結合された前記案内部材２３が前記半透明カバー２１の後ろ側に連結されて複数のボルト２６を用いて前記半透明カバー２１の内側にねじ固定されている」点（以下「相違点３」という。）。
５　判断
（１）相違点１について
　引用文献１に記載された事項は、冷蔵庫本体１（本願発明の「冷蔵庫本体」に相当。なお、以下同様に括弧内に本願発明の対応する用語を示す。）が有する冷蔵室扉７（扉）を備えた冷蔵庫（冷蔵庫）において、ＬＣＤ表示部１６と、静電スイッチ１７と、制御回路基板１５と、表示パネル１２（前面版）とからなるユニットが設けられたことにより、前記表示パネル１２が前記冷蔵室扉７の前面に設けられたものとなっており、相違点１に係る本願発明の構成を備えるものである。
　そして、引用発明と引用文献１に記載された事項は、家庭用電気器具の操作パネルユニットという技術分野において共通し、操作パネルユニットは、多種多様な家庭用電気器具に用いられており、汎用性のあるものであるから、引用発明に引用文献１に記載された事項を適用して、冷蔵庫本体１（冷蔵庫本体）が有する冷蔵室扉７（扉）を備えた冷蔵庫であって、半透明カバー２１（前面板）が前記冷蔵室扉７の前面に設けられた冷蔵庫とし、相違点１に係る本願発明の構成とすることは、当業者にとって格別困難ではない。
（２）相違点２について
　発光素子を有する表示基板と前面板との間に設けられた中間支持部材において、裏側に前記発光素子に対応する位置に照射筒部が設けられ、前記照射筒部は前記前面板に向かう方向へ筒状に延びていると共に、前記前面板へ向かうにしたがって広がるように形成され、前記照射筒部の裏側に前記表示基板が設けられることは、引用文献３ないし５に記載された事項にみられるように、本願の出願前に周知の技術（以下「周知技術」という。）である。
　そして、周知技術は、発光素子から照射した光を、前面板にムラがなく均一に案内することが可能であるから（引用文献３の段落００３０、引用文献４の段落００１４及び引用文献５の段落００３３）、引用発明において、周知技術を適用し、相違点２に係る本願発明の構成とすることは、当業者にとって格別困難ではない。
（３）相違点３について
　引用発明において、検出パネル４０（操作基板）は、半透明カバー２１（前面板）を介して案内部材２３（中間支持部材）に固定されているから、相違点３は実質的な相違点ではない。
　仮に相違点３に係る本願発明の構成が、中間支持部材に操作基板が直接固定されているものと限定的に解するとしても、引用発明において、検出パネル４０を固定することが可能な対象は半透明カバー２１又は案内部材２３であり、検出パネル４０を固定する対象を案内部材２３とすることは当業者が適宜選択し得ることといえ、また、検出パネル４０及び案内部材２３を予め一体にすることにより、案内部材２３の光路２３ａと、検出パネル４０の検知部材４１及び開口部４２との位置合わせが容易となることは、当業者にとって明らかであるから、検出パネル４０を案内部材２３に直接固定し、相違点３に係る本願発明の構成とすることは、当業者が適宜なし得たことである。
（４）効果について
　そして、本願発明は、全体としてみても、引用発明、引用文献１に記載された事項及び周知技術から予測される以上の格別な効果を奏するものではない。
（５）請求人の主張について
　請求人は、審判請求書の６頁１２行ないし７頁５行において、以下の主張をする。
「ｉｉ）・・・すなわち、我々の反論のポイントは、操作基板が固定されているのが、中間支持部材であるということです。
　一方、引用文献２においては検出パネル４０が固定されているのは、審査官殿が認めてられているように、案内部材２３（中間支持部材）でなく半透明カバー２１であるということです。この構造については、引用文献２の段落００３７に、検出パネル４０は、半透明カバー２１の後面に両面テープで接着されている。そして、案内部材２３と半透明カバー２１の間に他の部材をネジ止めする、と詳しく記載されています。しかし、この構造であると、検出パネル４０が半透明カバー２１に貼り付けられ、案内部材とは固定されていないため、案内部材と半透明カバー２１で他の部材を挟むときに組み立てがしにくく、作業効率が下がります。
　これに対し、本願発明は、操作基板と中間支持部材とが固定されていることで、全体が組み立てやすく、組み立ての作業効率が上がります。引用文献２には、検出パネルと半透明カバーとが両面テープで接着されているという極めて具体的な構成を明らかにしているにも関わらず、本願発明における操作基板が中間指示部材側に固定されているという構成については開示されていません。これは本願の出願時において上記本願の構成に至ることが必ずしも容易想到でないことを示します。そして、本願発明の構成は、引用文献２に記載の技術には無い、組み立て時の作業効率が向上するという効果を有します。この点は、他の引用文献に記載も示唆もありません。」
　しかしながら、上記（３）の相違点３の検討で述べたとおりであるから、上記請求人の主張は採用することができない。
（６）まとめ
　したがって、本願発明は、引用発明、引用文献１に記載された事項及び周知技術に基いて、当業者が容易に発明をすることができたものであり、特許法第２９条第２項の規定により特許を受けることができないものである。
第４　むすび
　以上のとおり、本願発明は、特許法第２９条第２項の規定により特許を受けることができないものであるから、他の請求項に係る発明について検討するまでもなく、本願は拒絶されるべきものである。
　よって、結論のとおり審決する。